(57)【特許請求の範囲】
【請求項１】
可搬型の簡易トイレ本体、その開閉用の扉、内部に汚水タンクが収納された設置台座部、この設置台座部上の便器、この便器の一部に収納設置されたポンプ、その操作ペダル、洗浄水タンクからなり、この操作ペダルを踏むと、ポンプが駆動し、洗浄水タンクの洗浄水が、パイプやホースからなる洗浄水取り入れ用管路を通じて、当該ポンプ部分に導かれると共に、当該ポンプ部分から、前記便器の前後に配管されたパイプやホースからなる洗浄水吹き出し用管路に押し出されて、便器内に吹き出されるようにした可搬型の簡易トイレであって、
前記汚水タンク内に、一対の突出片からなる溝状の複数の挟持部を有するヒータ固定手段を設けると共に、この複数の挟持部に樹脂材料中に導電性粉末が分散されてなる自己温度制御型ヒータを挟み込んで配線し、かつ、前記洗浄水タンク内に導かれた洗浄水取り入れ用管路及び洗浄水導入用管路の外周に樹脂材料中に導電性粉末が分散されてなる自己温度制御型ヒータを配線したことを特徴とする簡易トイレ。
【請求項２】
可搬型の簡易トイレ本体、その開閉用の扉、内部に汚水タンクが収納された設置台座部、この設置台座部上の便器、この便器の一部に収納設置されたポンプ、その操作ペダル、洗浄水タンクからなり、この操作ペダルを踏むと、ポンプが駆動し、洗浄水タンクの洗浄水が、パイプやホースからなる洗浄水取り入れ用管路を通じて、当該ポンプ部分に導かれると共に、当該ポンプ部分から、前記便器の前後に配管されたパイプやホースからなる洗浄水吹き出し用管路に押し出されて、便器内に吹き出されるようにした可搬型の簡易トイレであって、
前記汚水タンク内に、樹脂成形板の底面側に一対の突出爪片からなる溝状の挟持部を間歇的に有するヒータ固定手段を設けると共に、この複数の挟持部に樹脂材料中に導電性粉末が分散されてなる自己温度制御型ヒータを収納させた、前記突出爪片の爪段部に係合される係止片を有する嵌合カバーを被せて配線し、かつ、前記洗浄水タンク内に導かれた洗浄水取り入れ用管路及び洗浄水導入用管路の外周に樹脂材料中に導電性粉末が分散されてなる自己温度制御型ヒータを配線したことを特徴とする簡易トイレ。
【請求項３】
可搬型の簡易トイレ本体、その開閉用の扉、内部に汚水タンクが収納された設置台座部、この設置台座部上の便器、この便器の一部に収納設置されたポンプ、その操作ペダル、洗浄水タンクからなり、この操作ペダルを踏むと、ポンプが駆動し、洗浄水タンクの洗浄水が、パイプやホースからなる洗浄水取り入れ用管路を通じて、当該ポンプ部分に導かれると共に、当該ポンプ部分から、前記便器の前後に配管されたパイプやホースからなる洗浄水吹き出し用管路に押し出されて、便器内に吹き出されるようにした可搬型の簡易トイレであって、
前記汚水タンク内に、ソリット樹脂や樹脂繊維などからなる網状体を取り付けると共に、この網状体の縦部材や横部材間に自己温度制御型ヒータを絡み付けて配線し、かつ、前記洗浄水タンク内に導かれた洗浄水取り入れ用管路及び洗浄水導入用管路の外周に樹脂材料中に導電性粉末が分散されてなる自己温度制御型ヒータを配線したことを特徴とする簡易トイレ。
【発明の詳細な説明】
【０００１】
【発明の属する技術分野】
本発明は、例えば可搬型の簡易トイレで、寒冷地などにおいて、その汚水タンクや洗浄水タンク、水回り配管系などが凍結するのを防止するようにした簡易トイレに関するものである。
【０００２】
【従来の技術】
近年、野外で行う各種の催し物やイベントなどの際、沢山の人が集まるため、小型で自由に運搬することができる、可搬型の簡易トイレが盛んに使われるようになってきている。
本出願人は、この種の簡易トイレにおいて、寒冷地などの使用にあっても、凍結を防止するようにしたものを既に提案してある（特願平０６−２５４８２５号）。
【０００３】
【発明が解決しようとする課題】
上記既提案の簡易トイレの場合、便槽タンク（以下汚水タンクという）からの水を循環させて便器を洗浄する方式であるため、汚水タンクのみでよく、洗浄水タンクが不要で、コンパクト化（小型化）には最適のものであるが、簡易トイレの中には、多少コンパクト化が犠牲となっても、汚水タンクと洗浄水タンクの両方を備えたものを提案されている。
このような両方のタンクを備えた簡易トイレを寒冷地などで使用する場合、汚水タンクのみならず、洗浄水タンク側やこのタンクへの水回り配管系においても、やはり凍結するなどの問題があった。
【０００４】
本発明は、このような現状に鑑みてなされたもので、汚水タンクと洗浄水タンクの両方を備えた簡易トイレにおいて、これらの両タンクや水回り配管系の凍結を防止するようにトイレを提供せんとするものである。
【０００５】
【課題を解決するための手段】
本発明に係る請求項１記載の簡易トイレは、
可搬型の簡易トイレ本体、その開閉用の扉、内部に汚水タンクが収納された設置台座部、この設置台座部上の便器、この便器の一部に収納設置されたポンプ、その操作ペダル、洗浄水タンクからなり、この操作ペダルを踏むと、ポンプが駆動し、洗浄水タンクの洗浄水が、パイプやホースからなる洗浄水取り入れ用管路を通じて、当該ポンプ部分に導かれると共に、当該ポンプ部分から、前記便器の前後に配管されたパイプやホースからなる洗浄水吹き出し用管路に押し出されて、便器内に吹き出されるようにした可搬型の簡易トイレであって、
前記汚水タンク内に、一対の突出片からなる溝状の複数の挟持部を有するヒータ固定手段を設けると共に、この複数の挟持部に樹脂材料中に導電性粉末が分散されてなる自己温度制御型ヒータを挟み込んで配線し、かつ、前記洗浄水タンク内に導かれた洗浄水取り入れ用管路及び洗浄水導入用管路の外周に樹脂材料中に導電性粉末が分散されてなる自己温度制御型ヒータを配線したことを特徴とする簡易トイレにある。
【０００６】
本発明に係る請求項２記載の簡易トイレは、
可搬型の簡易トイレ本体、その開閉用の扉、内部に汚水タンクが収納された設置台座部、この設置台座部上の便器、この便器の一部に収納設置されたポンプ、その操作ペダル、洗浄水タンクからなり、この操作ペダルを踏むと、ポンプが駆動し、洗浄水タンクの洗浄水が、パイプやホースからなる洗浄水取り入れ用管路を通じて、当該ポンプ部分に導かれると共に、当該ポンプ部分から、前記便器の前後に配管されたパイプやホースからなる洗浄水吹き出し用管路に押し出されて、便器内に吹き出されるようにした可搬型の簡易トイレであって、
前記汚水タンク内に、樹脂成形板の底面側に一対の突出爪片からなる溝状の挟持部を間歇的に有するヒータ固定手段を設けると共に、この複数の挟持部に樹脂材料中に導電性粉末が分散されてなる自己温度制御型ヒータを収納させた、前記突出爪片の爪段部に係合される係止片を有する嵌合カバーを被せて配線し、かつ、前記洗浄水タンク内に導かれた洗浄水取り入れ用管路及び洗浄水導入用管路の外周に樹脂材料中に導電性粉末が分散されてなる自己温度制御型ヒータを配線したことを特徴とする簡易トイレにある。
【０００７】
本発明に係る請求項３記載の簡易トイレは、
可搬型の簡易トイレ本体、その開閉用の扉、内部に汚水タンクが収納された設置台座部、この設置台座部上の便器、この便器の一部に収納設置されたポンプ、その操作ペダル、洗浄水タンクからなり、この操作ペダルを踏むと、ポンプが駆動し、洗浄水タンクの洗浄水が、パイプやホースからなる洗浄水取り入れ用管路を通じて、当該ポンプ部分に導かれると共に、当該ポンプ部分から、前記便器の前後に配管されたパイプやホースからなる洗浄水吹き出し用管路に押し出されて、便器内に吹き出されるようにした可搬型の簡易トイレであって、
前記汚水タンク内に、ソリット樹脂や樹脂繊維などからなる網状体を取り付けると共に、この網状体の縦部材や横部材間に自己温度制御型ヒータを絡み付けて配線し、かつ、前記洗浄水タンク内に導かれた洗浄水取り入れ用管路及び洗浄水導入用管路の外周に樹脂材料中に導電性粉末が分散されてなる自己温度制御型ヒータを配線したことを特徴とする簡易トイレにある。
【０００９】
【発明の実施の形態】
図１〜図３は本発明に係る簡易トイレの実施の形態の一例を示したもので、図１は当該簡易トイレの全体を示した縦断面図、図２は当該簡易トイレの便器や汚水タンク周辺の水回り配管系とこれらの各部分に施された自己温度制御型ヒータの配線ユニット系を示した縦断面図、図３は上記簡易トイレの水回り配管系と自己温度制御型ヒータの配線ユニット系を示した斜視図である。
【００１０】
上記図において、１は小型で容易に運搬することができる可搬型の簡易トイレ本体、２はその扉（開閉ドア）、３は内部に汚水タンク４が収納された設置台座部（なお、当該設置台座部３が汚水タンク４そのものからなり、汚水タンク４で兼用させる場合も含む）、５は便器、６は便器５の一部に収納設置されたダイヤフラムポンプなどのポンプ、７はその操作ペダル、８は汚水タンク４内の汚水、９は洗浄水１０が充填されている洗浄水タンクである。
【００１１】
上記ポンプ６は、操作ペダル７を踏むと、駆動し、洗浄水タンク９内の洗浄水１０が、樹脂やゴム製などのパイプ（例えばＰＶＣ管や可撓性のＰＶＣ管など）やホースからなる洗浄水取り入れ用管路２１を通じて、当該ポンプ６部分に導かれ、ここから、上記便器５の前後に配管された、樹脂やゴム製などのパイプやホースからなる洗浄水吹き出し用管路２２，２３に押し出され、便器５内に吹き出されるようになっている。また、洗浄水タンク９には、洗浄水導入用管路２４が配管され、例えば上水道管と接続し、その洗浄水の導入量は、フロート９１によって制御されるバルブ（弁機構）９２によって調整されるようになっている。なお、この洗浄水タンク９の場合、外部に露出する上方部分などに蓋を設けて、外部から洗浄水を必要量だけバケツなどの容器で補給するようにしてもよい。また、上記洗浄水取り入れ用管路２１の洗浄水タンク９内に挿入された先端には、塵などがポンプ６側に流入しないように、フィルター装置などを設けるとよい。
【００１２】
このような簡易トイレの水回り配管系において、本発明では、先ず、上記各管路２１〜２４をなすパイプやホースの外周には、自己温度制御型ヒータ３１〜３３が取り付けてある。一方、上記汚水タンク４や洗浄水タンク９内にも自己温度制御型ヒータ３４を導く。特に、汚水タンク４内にあっては、当該汚水タンク４の一部、例えば底面寄り取り付けられたヒータ固定手段４１によって固定してある。そして、上記各自己温度制御型ヒータ３１〜３４には、電源線５１がそれぞれ接続されている。また、必要により、汚水タンク４内には、挿入された自己温度制御型ヒータ３４に対する、アース部材６１として、水や汚水などの損傷に対して強い抵抗力を有し、長期間に渡ってその形状を維持するたとができる炭素棒などを入れ、そのアース線６２は接地したり、或いは上記電源線５１のアース部分などに接続してある。同様のアース部材６１は、必要により洗浄水タンク９内もに設けるとよい。
【００１３】
上記各自己温度制御型ヒータ３１〜３４は、図４〜図５に示したように、基本的には、導電性粉末、例えばカーボン粉末や金属粉末が分散されてなる帯状の樹脂材料３０１中の両側縁部に電極線（導体）３０２、３０２が埋め込んでなるもので、例えば、その外側には、フッ素樹脂系やポリオレフィン系樹脂からなる内層被覆３０３、及びフッ素樹脂系やポリプロピレン、ポリエチレン、ナイロン系、その他のポリオレフィン系樹脂などからなる外層被覆３０４が施してある。
【００１４】
そして、これらの各自己温度制御型ヒータ３１〜３４の使用にあたっては、図６〜図７に示したように、電源線５１との接続部分において、圧着端子５２，５２を用いて接続した後、インジェクションモールド法によって被覆部５３を形成する。このモールド処理時の絶縁不良を防止するには、上記圧着端子５２，５２として絶縁スリーブ付きのものを用いるか、図６の破線に示すように、圧着端子５２，５２上に熱収縮スリープ５４を被覆して収縮させた後に、上記モールド処理を行えば、極めて高い絶縁性能が得られる。この熱収縮スリープ５４を用いたときには、内側にホットメルトタイプの接着剤層を有するものを使用すると、より良好な密着性が得られる。これによって、特に、上記汚水タンク４や洗浄水タンク９内に挿入される、自己温度制御型ヒータ３４の場合、高い信頼性が得られる。
【００１５】
一方、上記各自己温度制御型ヒータ３１〜３４の先端にあっては、図６〜図７に示したように、各電極線３０２、３０２間の樹脂材料３０１部分に当該樹脂材料３０１側に切り込んだ切り込み部３０１ａを設けた後、上記と同様インジェクションモールド法によって被覆部５３を形成する。この切り込み部３０１ａの形成により、縁面短絡がし難くなり、極めて絶縁性能の高いヒータ３１〜３４が得られる。このことは、汚水や洗浄水中に挿入されたり、水分濃度の高い水回り配管系部分に使用される、今回の用途からすると、各ヒータ３１〜３４の高い安全性が期待される。
【００１６】
このような処理の施された自己温度制御型ヒータ３１〜３３を、上記各管路２１〜２４をなすパイプやホースの外周に取り付けるにあたっては、図８に示したように、ヒータ３１〜３３を直接パイプやホースの外周に添わせた後、一般に、樹脂やゴム性のパイプやホースの場合、熱伝導性が低いため、熱伝導性の高い金属テープ７１として、アルミテープを巻き付け、しかる後、さらに、この金属テープ７１の上に、図９に示した如き、金属テープや箔、蒸着金属などの金属層７２ａの両側にポリオレフィンテープなどの樹脂層７２ｂ，７２ｂを設けてなるラミネートテープ７２で被覆する。そして、さらに必要に応じて、このラミネートテープ７２上に、図１０に示した如き、発泡樹脂（発砲ウレタン）などからなる保温材７３を巻き付けるなどして被覆する。
【００１７】
上記ラミネートテープ７２は、金属層７２ａを有するその構造から、高い遮水性と良好な熱伝導性が得られるため、今回の使用環境からすると、自己温度制御型ヒータ３１〜３３側への洗浄水や水分などの浸入を効果的に防止することができると同時に、当該自己温度制御型ヒータ３１〜３３の熱の伝達も効果的に行うことができる。
もちろん、このラミネート構造によって、ラミネートテープ７２の金属層７２ａ自体も汚水などの腐食から効果的に保護される。
また、上記のように熱伝導性の高い金属テープ７１を当該ラミネートテープ７２の内側に設けた場合、この金属テープ７１も、汚水や水分、各種の酸やアンモニアガスなどによる腐食から効果的に保護される。
さらにまた、このラミネートテープ７２は、自己温度制御型ヒータ３１〜３３の外側に被覆されることによって、当該自己温度制御型ヒータ３１〜３３を機械的にも保護する。
【００１８】
また、上記保温材７３を被覆すると、もともと発熱量の小さい自己温度制御型ヒータ３１〜３３に対して、熱の有効利用を図ることができる。これによって、本来の凍結防止機能を良好に発揮することができる。言い換えれば、同一の凍結防止機能を得るにおいて、より容量の少ない自己温度制御型ヒータの使用が可能となり、省電力化、低容量化が図られる。つまり低コスト化が可能となる。
【００１９】
一方、上記自己温度制御型ヒータ３４を、上述したように汚水タンク４内の底面寄りに固定するには、ヒータ固定手段４１によって行う。このヒータ固定手段４１の一例を示すと、図１１の如くで、樹脂成形板４１ａの底面側に一対の突出片４２ａ，４２ｂからなる溝状の挟持部４２を複数設け、この挟持部４２に自己温度制御型ヒータ３４を挟み込んで、全体を蛇行状などに配線すればよい。
この際、挟持部４２の挟持性能を向上させるため、好ましくは一方の突出片４２ａの先端側を少々内側に曲げて形成しておくとよい。また、自己温度制御型ヒータ３４を、汚水などの浸漬から保護するには、図１２に示したように、上記ラミネートテープ７２で被覆した形のものを挟み込むようにすることもできる。
また、洗浄水タンク９の洗浄水１０中に浸漬される自己温度制御型ヒータ３４にあっては、上記のようなヒータ固定手段４１を用いてタンク９の底面寄りに固定してもよいが、例えば洗浄水１０中に垂下させたり、あるいは洗浄水取り入れ用管路２１や洗浄水導入用管路２４の外周に直接固定したり、さらには管路中に設けることも可能である。
【００２０】
上記のように汚水タンク４において、自己温度制御型ヒータ３４を固定すると、特に汚水などの汲み取り時邪魔になることもなく、スムーズな汲み取りが可能となる。また、この汚水タンク４や洗浄水タンク９において、自己温度制御型ヒータ３４した場合、当該自己温度制御型ヒータ３４が安定して維持されるため、不要なヒータ自体の移動や振れが防止され、電源線５１などとの接続部分に接触不良が起こったり、ヒータ自体の電極線３０２，３０２部分に金属疲労が発生したりすることもなくなる。特に、本簡易型トイレの場合、運搬される場合があるわけであるが、このような運搬中にあっても、不要に移動したり、振れたりすることがないため、上記固定によって、大きな利点が得られる。
【００２１】
さらに、別のヒータ固定手段４３による別の例を示すと、図１３の如くで、この場合には、汚水タンク４や洗浄水タンク９内の底面寄りにソリット樹脂や樹脂繊維などからなる網状体（ネット状体）を取り付け、この網状部分に自己温度制御型ヒータ３４を縫い付けるようにして、すなわち、縦部材４３ａや横部材４３ｂ間に相互に絡み付けて固定したものである。これによっても、上記ヒータ固定手段４１の場合と同様の効果が得られる。
【００２２】
次に、上記簡易トイレの設置台座部３の底面部や外周部、より具体的には、底面部の内側や外周部の内側に、上記図１や図１４に示したように、自己温度制御型ヒータ３５が取り付けてある。なお、搬送時や設置時などにおいてヒータ自体が損傷する恐れがあり、好ましくないが、底面部の外側や外周部の外側に自己温度制御型ヒータ３５を取り付けることも可能である。
この自己温度制御型ヒータ３５には、上記と同様のラミネートテープ７２が被覆してあり、また、必要により、発泡樹脂（発砲ウレタン）などからなる保温材７３を被覆することができる。この自己温度制御型ヒータ３５の取り付けによって、設置台座部３の凍結が防止されるため、地面との強固な固定はなくなり、何時でも簡単に当該簡易トイレを移動撤去させることができる。
また、この設置台座部３が汚水タンク４自体からなり、タンク兼用の場合には、汚水タンク４内の自己温度制御型ヒータ３４によって、自己温度制御型ヒータ３５の取り付けは省略することも可能であるが、両者を併用することも可能で、その場合には、汚水タンク４の底面部の内側や外周部の内側に自己温度制御型ヒータ３５を取り付けるようにするとよい。
【００２３】
また、ここでも、ラミネートテープ７２は、ヒータ３５を機械的な衝撃から保護する一方、水分などの浸入から内部のヒータ３５を保護する。
さらに、保温材７３を設けた場合には、上記同様もともと発熱量の小さい自己温度制御型ヒータ３５において、熱の有効利用を図ることができる。したがって、より容量の少ない自己温度制御型ヒータの使用が可能となり、省電力化、低容量化が図られる。
【００２４】
なお、上記汚水タンク４や洗浄水タンク９へのアース部材６１の取り付けにあたっては、タンク自体が水や汚水などの損傷に対して強い金属材料からなる場合には、図１５に示したように、タンク４，９の一部に穴４ａ，９ａを開け、この穴４ａ，９ａに防水パッキン１０１，１０１及び座金１０２を介して、金属製ボルト１０３，ナット１０４を装着し、このナット１０４と座金１０２間、又はボルト１０３の突出部に別ナット１０５によって、アース部材６１としての丸端子金具を嵌め付けにようにしてもよい。また、上記自己温度制御型ヒータ３４を固定するヒータ固定手段４１にあっては、図１１〜図１２に示したものの他に、例えば図１６に示したような構造であってもよい。つまり、樹脂成形板４１ａの底面側に一対の突出爪片４５ａ，４５ｂからなる溝状の挟持部４２を間歇的に設け、この挟持部４２に自己温度制御型ヒータ３４を収納させた後、上記突出爪片４５ａ，４５ｂの爪段部４５ａ′，４５ｂ′に係合される係止片４６ａ，４６ａ，を有する概略断面Ｖ字形の嵌合カバー４６を被せるようにしてもよい。
【００２５】
【発明の効果】
以上の説明から明らかなように本発明に係る簡易トイレによれば、次のような優れた効果が得られる。
（１）本発明に係る請求項１記載の簡易トイレでは、
可搬型の簡易トイレ本体、その開閉用の扉、内部に汚水タンクが収納された設置台座部、この設置台座部上の便器、この便器の一部に収納設置されたポンプ、その操作ペダル、洗浄水タンクからなり、この操作ペダルを踏むと、ポンプが駆動し、洗浄水タンクの洗浄水が、パイプやホースからなる洗浄水取り入れ用管路を通じて、当該ポンプ部分に導かれると共に、当該ポンプ部分から、前記便器の前後に配管されたパイプやホースからなる洗浄水吹き出し用管路に押し出されて、便器内に吹き出されるようにした可搬型の簡易トイレであって、
前記汚水タンク内に、一対の突出片からなる溝状の複数の挟持部を有するヒータ固定手段を設けると共に、この複数の挟持部に樹脂材料中に導電性粉末が分散されてなる自己温度制御型ヒータを挟み込んで配線し、かつ、前記洗浄水タンク内に導かれた洗浄水取り入れ用管路及び洗浄水導入用管路の外周に樹脂材料中に導電性粉末が分散されてなる自己温度制御型ヒータを配線してあるため、ヒータは安定して保持される。また、汚水タンクにおける汲み取りの際に邪魔になることもない。さらに、また、寒冷地にあっても、汚水や洗浄水などの凍結を効果的に防止することができる。もちろん、この自己温度制御型ヒータの場合、温調制御が簡単でシステムの低コスト化を図ることができると共に、当該自己温度制御型ヒータでは、過度に温度上昇することがないため、極めて安全で、高い信頼性が得られる。
【００２６】
（２）本発明に係る請求項２記載の簡易トイレでは、
可搬型の簡易トイレ本体、その開閉用の扉、内部に汚水タンクが収納された設置台座部、この設置台座部上の便器、この便器の一部に収納設置されたポンプ、その操作ペダル、洗浄水タンクからなり、この操作ペダルを踏むと、ポンプが駆動し、洗浄水タンクの洗浄水が、パイプやホースからなる洗浄水取り入れ用管路を通じて、当該ポンプ部分に導かれると共に、当該ポンプ部分から、前記便器の前後に配管されたパイプやホースからなる洗浄水吹き出し用管路に押し出されて、便器内に吹き出されるようにした可搬型の簡易トイレであって、
前記汚水タンク内に、樹脂成形板の底面側に一対の突出爪片からなる溝状の挟持部を間歇的に有するヒータ固定手段を設けると共に、この複数の挟持部に樹脂材料中に導電性粉末が分散されてなる自己温度制御型ヒータを収納させた、前記突出爪片の爪段部に係合される係止片を有する嵌合カバーを被せて配線し、かつ、前記洗浄水タンク内に導かれた洗浄水取り入れ用管路及び洗浄水導入用管路の外周に樹脂材料中に導電性粉末が分散されてなる自己温度制御型ヒータを配線してあるため、ヒータは安定して保持される。また、汚水タンクにおける汲み取りの際に邪魔になることもない。さらに、また、寒冷地にあっても、汚水や洗浄水などの凍結を効果的に防止することができる。もちろん、この自己温度制御型ヒータの場合、上記請求項１の場合と同様の効果が得られる。
【００２７】
（３）本発明に係る請求項３記載の簡易トイレでは、
可搬型の簡易トイレ本体、その開閉用の扉、内部に汚水タンクが収納された設置台座部、この設置台座部上の便器、この便器の一部に収納設置されたポンプ、その操作ペダル、洗浄水タンクからなり、この操作ペダルを踏むと、ポンプが駆動し、洗浄水タンクの洗浄水が、パイプやホースからなる洗浄水取り入れ用管路を通じて、当該ポンプ部分に導かれると共に、当該ポンプ部分から、前記便器の前後に配管されたパイプやホースからなる洗浄水吹き出し用管路に押し出されて、便器内に吹き出されるようにした可搬型の簡易トイレであって、
前記汚水タンク内に、ソリット樹脂や樹脂繊維などからなる網状体を取り付けると共に、この網状体の縦部材や横部材間に自己温度制御型ヒータを絡み付けて配線し、かつ、前記洗浄水タンク内に導かれた洗浄水取り入れ用管路及び洗浄水導入用管路の外周に樹脂材料中に導電性粉末が分散されてなる自己温度制御型ヒータを配線してあるため、ヒータは安定して保持される。また、汚水タンクにおける汲み取りの際に邪魔になることもない。さらに、また、寒冷地にあっても、汚水や洗浄水などの凍結を効果的に防止することができる。もちろん、この自己温度制御型ヒータの場合、上記請求項１の場合と同様の効果が得られる。
【図面の簡単な説明】
【図１】本発明に係る簡易トイレの実施の形態の全体を示した縦断面図である。
【図２】図１の簡易トイレにおける汚水タンク、洗浄水タンク及び便器周辺の構成を示した部分縦断面図である。
【図３】図１の簡易トイレに適用された水回り配管系と自己温度制御型ヒータの配線ユニット系を示した斜視図である。
【図４】本発明で使用される自己温度制御型ヒータの一例を示した斜視図である。
【図５】図４の自己温度制御型ヒータの縦端面図である。
【図６】本発明で使用される自己温度制御型ヒータと電源線との接続部分とその先端部分を示した部分縦断平面図である。
【図７】図６の自己温度制御型ヒータの先端部分を示した部分斜視図である。
【図８】本発明で使用される自己温度制御型ヒータの管路への取り付け状態を示した縦断面図である。
【図９】本発明で使用される自己温度制御型ヒータを取り付ける際に被覆されるラミネートテープを示した縦断面図である。
【図１０】本発明で使用される自己温度制御型ヒータを取り付ける際に被覆される保温材を示した縦断面図である。
【図１１】本発明で使用される自己温度制御型ヒータを汚水タンク又は洗浄水タンク内に取り付ける際の固定方法を示した縦断面図である。
【図１２】本発明で使用される自己温度制御型ヒータを汚水タンク又は洗浄水タンク内に取り付ける際の固定方法の別の例を示した縦断面図である。
【図１３】本発明で使用される自己温度制御型ヒータを汚水タンク又は洗浄水タンク内に取り付ける際の固定方法のさらに別の例を示した平面図である。
【図１４】本発明で使用される自己温度制御型ヒータを設置台座部側及び洗浄水タンク側に取り付けた状態を示した部分縦断面図である。
【図１５】本発明におけるアース部材の他の取付け状態を示した部分縦断分解拡大図である。
【図１６】本発明で使用される自己温度制御型ヒータの他のヒータ固定手段を示した部分縦断分解斜視図である。
【符号の説明】
１                  簡易トイレ本体
２                  扉
３                  設置台座部
４                  汚水タンク
５                  便器
６                  ポンプ
７                  操作ペダル
８                  汚水
９                  洗浄水タンク
１０                洗浄水
２１                洗浄水取り入れ用管路
２２〜２３          洗浄水吹き出し用管路
２４                洗浄水導入用管路
３１〜３５          自己温度制御型ヒータ
４１                ヒータ固定手段
４１ａ              樹脂成形板
４２                挟持部
４２ａ，４２ｂ      一対の突出片
４３                ヒータ固定手段
４５ａ，４５ｂ      一対の突出爪片
４５’ａ，４５’ｂ  爪段部
４６                嵌合カバー
４６ａ，４５６      係止片
５１                電源線
５２                圧着端子
５３                被覆部
５４                熱収縮スリープ
６１                アース部材
７１                熱伝導性の高い金属テープ
７２                ラミネートテープ
７２ａ              金属層
７２ｂ              樹脂層
７３                保温材
９１                フロート
９２                バルブ
【図１】
0003706421.tif 000002
【図２】
0003706421.tif 000003
【図３】
0003706421.tif 000004
【図４】
0003706421.tif 000005
【図５】
0003706421.tif 000006
【図６】
0003706421.tif 000007
【図７】
0003706421.tif 000008
【図８】
0003706421.tif 000009
【図９】
0003706421.tif 000010
【図１０】
0003706421.tif 000011
【図１１】
0003706421.tif 000012
【図１２】
0003706421.tif 000013
【図１３】
0003706421.tif 000014
【図１４】
0003706421.tif 000015
【図１５】
0003706421.tif 000016
【図１６】
0003706421.tif 000017